(57)【要約】【課題】低コストで製造することができ、しかも見栄えがよく、長期にわたって良好なフリーストップ機能を発揮する、優れたコンパクト容器を提供する。【解決手段】容器本体１と、蓋体２と、上記容器本体１側に設けられる突設部Ａ，Ａ′と、上記蓋体２側に設けられる突設部Ｂと、上記突設部Ａ，Ａ′から突設部Ｂにまたがって形成されるヒンジ軸挿通穴３０〜３３と、上記ヒンジ軸挿通穴３０〜３３に挿通される太径部３４，３５と細径部３６，３７とが同軸的に形成された一対の合成樹脂製ヒンジ軸３８，３９とを備え、上記突設部Ａ，Ａ′と突設部Ｂの互いに隣り合う端面が、平坦面で形成されているとともに、上記ヒンジ軸３８，３９の太径部３４，３５が突設部Ａ，Ａ′と嵌合する部分Ｘと、突設部Ｂと嵌合する部分Ｙのうち、一方が、フリーストップ機能を備え、他方が、互いに回動しないよう設定されており、上記ヒンジ軸３８，３９の細径部３６，３７は抜け止めになっている。【選択図】図１
2005124634.tif 000002
【特許請求の範囲】
【請求項１】
化粧料を収容する合成樹脂製の容器本体と、この容器本体の上面を蓋する合成樹脂製の蓋体と、上記容器本体後端部の左右両側に突設される一対の突設部Ａ，Ａ′と、上記蓋体後端部の中央に突設され上記突設部Ａ，Ａ′の間に入り込む突設部Ｂと、上記突設部Ａ，Ａ′の左右端面から突設部Ｂにまたがって形成される一対の第１のヒンジ軸挿通穴と、上記第１のヒンジ軸挿通穴からそれぞれ内側に向かって同軸的に延びる細径の第２のヒンジ軸挿通穴と、上記第１のヒンジ軸挿通穴に挿通される太径部と上記第２のヒンジ軸挿通穴に挿通される細径部とが同軸的に形成される一対の合成樹脂製ヒンジ軸とを備え、上記突設部Ａ，Ａ′と突設部Ｂの互いに隣り合う端面が、平坦面で形成されているとともに、上記ヒンジ軸の太径部が突設部Ａ，Ａ′と嵌合する部分Ｘと、上記ヒンジ軸の太径部が突設部Ｂと嵌合する部分Ｙのうち、一方の嵌合部分の嵌め合わせが、任意の位置で停止してその位置を保持しうる程度に回動するよう設定されており、他方の嵌合部分の嵌め合わせが、互いに回動しないよう設定されており、上記ヒンジ軸の細径部が第２のヒンジ軸挿通穴と嵌合する部分は、抜け止め部に設定されていることを特徴とするコンパクト容器。
【請求項２】
化粧料を収容する合成樹脂製の容器本体と、この容器本体の上面を蓋する合成樹脂製の蓋体と、上記蓋体後端部の左右両側に突設される突設部Ｂ′，Ｂ″と、上記容器本体後端部の中央に突設され上記突設部Ｂ′，Ｂ″の間に入り込む突設部Ａ″と、上記突設部Ｂ′，Ｂ″の左右端面から突設部Ａ″にまたがって形成される一対の第１のヒンジ軸挿通穴と、上記第１のヒンジ軸挿通穴からそれぞれ内側に向かって同軸的に延びる細径の第２のヒンジ軸挿通穴と、上記第１のヒンジ軸挿通穴に挿通される太径部と上記第２のヒンジ軸挿通穴に挿通される細径部とが同軸的に形成された一対の合成樹脂製ヒンジ軸とを備え、上記突設部Ｂ′，Ｂ″と突設部Ａ″の互いに隣り合う端面が、平坦面で形成されているとともに、上記ヒンジ軸の太径部が突設部Ｂ′，Ｂ″と嵌合する部分Ｘ′と、上記ヒンジ軸の太径部が突設部Ａ″と嵌合する部分Ｙ′のうち、一方の嵌合部分の嵌め合わせが、任意の位置で停止してその位置を保持しうる程度に回動するよう設定されており、他方の嵌合部分の嵌め合わせが、互いに回動しないよう設定されており、上記ヒンジ軸の細径部が第２のヒンジ軸挿通穴と嵌合する部分は、抜け止め部に設定されていることを特徴とするコンパクト容器。
【請求項３】
上記ヒンジ軸の太径部が突設部と嵌合する部分のうち、任意の位置で停止してその位置を保持しうる程度に回動するよう設定された部分の軸方向の長さが、２〜１０ｍｍである請求項１または２記載のコンパクト容器。
【発明の詳細な説明】
【技術分野】
【０００１】
本発明は、蓋体開閉時に、蓋体を任意の位置で停止させることができる、いわゆるフリーストップ機能を備えたコンパクト容器に関するものである。
【背景技術】
【０００２】
ファンデーション等の化粧料を収容して携帯するコンパクト容器としては、従来から、図３に示すようなタイプのものが汎用されている。このコンパクト容器は、上面に化粧皿収容凹部１ａが形成された合成樹脂製の容器本体１と、この容器本体１の上面を蓋する合成樹脂製の蓋体２で構成されており、上記容器本体１の後端部の左右両側に設けられた突設部３ａ，３ｂにヒンジ軸挿通穴４が貫通状に穿設されているとともに、上記蓋体２の後端部中央から垂下する突設部５にヒンジ軸挿通穴５ａ（図３の縦断面図である図４参照）が貫通状に穿設されている。そして、上記両ヒンジ軸挿通穴４，５ａに金属製のヒンジ軸６が挿通されており、これにより、容器本体１に蓋体２がヒンジ連結されている。なお、７は蓋体２の内側面に貼着された鏡であり、８は合成樹脂製の開蓋用係止片である。
【０００３】
一方、近年、廃棄物の処理が社会問題化しており、ごみ排出量の抑制と資源リサイクルの確立が強く望まれている。このため、ごみの種類によって、分別収集を義務づける自治体も増えている。また、製造業者にも、容器や包装物等のリサイクルが義務づけられる傾向になってきている。そこで、最近、上記ごみの分別収集に対応するために、合成樹脂製のヒンジ軸を用い、容器本体と蓋体をヒンジ連結した状態のままで廃棄することができるようにしたコンパクト容器がいくつか提案されている。
【０００４】
その一例として、図５に示すようなヒンジ構造のコンパクト容器をあげることができる（特許文献１参照）。このものは、合成樹脂製のヒンジ軸１０を用いて容器本体１と蓋体２とを連結しているが、金属に比べて、合成樹脂は強度が弱いことから、ヒンジ軸１０にかかる剪断力等を減らすために、容器本体１の突設部３ａ，３ｂと、蓋体２の突設部５の、隣り合う端面に、互いに相対回転可能に密接嵌合される環状凹部１１と環状凸部１２とが設けられている。
【０００５】
また、最近は、蓋体を任意の位置で停止させることができる、いわゆるフリーストップ機能を備えたコンパクト容器が多く出回っているが、そのタイプにおいても、合成樹脂製のヒンジ軸を用いたものがいくつか提案されている。その一例として、図６（ａ），（ｂ）に示すような、特殊な形状が付与されたヒンジ軸を用いたコンパクト容器をあげることができる（特許文献２参照）。このものは、ヒンジ軸が、軸方向全長に亘って溝部２１、２１′を有し、その外周を、フリーストップ機能を発揮する適度な摩擦抵抗力を発生する軟質合成樹脂製の緩衝部材２２で被覆した構造になっている。
【特許文献１】特開平１１−２８５４１１号公報
【特許文献２】特開２００３−７０５３０号公報
【発明の開示】
【発明が解決しようとする課題】
【０００６】
しかしながら、図５のヒンジ構造のものは、上記環状凹部１１と環状凸部１２を、それぞれ蓋体２と容器本体１に一体形成しなければならないため、金型の製造が容易でなく、製造コストが高くなるという問題がある。また、蓋体２の突設部５に、上記環状凸部１２と環状凹部１１を嵌合させるための切欠き部を設ける必要があるが、これを、蓋体２が閉じた状態で隠れる位置（閉じた状態で真下にくる位置）に形成しても、蓋体２を開くと、どうしても、その切欠き部が外側から見えてしまい、見栄えがよくないという問題がある。
【０００７】
また、図６（ａ）、（ｂ）に示されたヒンジ軸は、その外周面に凹凸を形成したり、緩衝部材２２となる樹脂皮膜を形成したりしなければならないため、製造コストが高くなるという問題がある。また、経時的に、上記緩衝部材が磨耗・損傷を生じてフリーストップ機能が低下しやすいという問題もある。
【０００８】
本発明は、このような事情に鑑みなされたもので、低コストで製造することができ、しかも見栄えがよく、長期にわたって良好なフリーストップ機能を発揮する、優れたコンパクト容器の提供をその目的とする。
【課題を解決するための手段】
【０００９】
上記の目的を達成するため、本発明は、化粧料を収容する合成樹脂製の容器本体と、この容器本体の上面を蓋する合成樹脂製の蓋体と、上記容器本体後端部の左右両側に突設される一対の突設部Ａ，Ａ′と、上記蓋体後端部の中央に突設され上記突設部Ａ，Ａ′の間に入り込む突設部Ｂと、上記突設部Ａ，Ａ′の左右端面から突設部Ｂにまたがって形成される一対の第１のヒンジ軸挿通穴と、上記第１のヒンジ軸挿通穴からそれぞれ内側に向かって同軸的に延びる細径の第２のヒンジ軸挿通穴と、上記第１のヒンジ軸挿通穴に挿通される太径部と上記第２のヒンジ軸挿通穴に挿通される細径部とが同軸的に形成される一対の合成樹脂製ヒンジ軸とを備え、上記突設部Ａ，Ａ′と突設部Ｂの互いに隣り合う端面が、平坦面で形成されているとともに、上記ヒンジ軸の太径部が突設部Ａ，Ａ′と嵌合する部分Ｘと、上記ヒンジ軸の太径部が突設部Ｂと嵌合する部分Ｙのうち、一方の嵌合部分の嵌め合わせが、任意の位置で停止してその位置を保持しうる程度に回動するよう設定されており、他方の嵌合部分の嵌め合わせが、互いに回動しないよう設定されており、上記ヒンジ軸の細径部が第２のヒンジ軸挿通穴と嵌合する部分は、抜け止め部に設定されているコンパクト容器を第１の要旨とする。
【００１０】
また、本発明は、化粧料を収容する合成樹脂製の容器本体と、この容器本体の上面を蓋する合成樹脂製の蓋体と、上記蓋体後端部の左右両側に突設される突設部Ｂ′，Ｂ″と、上記容器本体後端部の中央に突設され上記突設部Ｂ′，Ｂ″の間に入り込む突設部Ａ″と、上記突設部Ｂ′，Ｂ″の左右端面から突設部Ａ″にまたがって形成される一対の第１のヒンジ軸挿通穴と、上記第１のヒンジ軸挿通穴からそれぞれ内側に向かって同軸的に延びる細径の第２のヒンジ軸挿通穴と、上記第１のヒンジ軸挿通穴に挿通される太径部と上記第２のヒンジ軸挿通穴に挿通される細径部とが同軸的に形成された一対の合成樹脂製ヒンジ軸とを備え、上記突設部Ｂ′，Ｂ″と突設部Ａ″の互いに隣り合う端面が、平坦面で形成されているとともに、上記ヒンジ軸の太径部が突設部Ｂ′，Ｂ″と嵌合する部分Ｘ′と、上記ヒンジ軸の太径部が突設部Ａ″と嵌合する部分Ｙ′のうち、一方の嵌合部分の嵌め合わせが、任意の位置で停止してその位置を保持しうる程度に回動するよう設定されており、他方の嵌合部分の嵌め合わせが、互いに回動しないよう設定されており、上記ヒンジ軸の細径部が第２のヒンジ軸挿通穴と嵌合する部分は、抜け止め部に設定されているコンパクト容器を第２の要旨とする。
【００１１】
さらに、本発明は、これらのなかでも、特に、上記ヒンジ軸の太径部が突設部と嵌合する部分のうち、任意の位置で停止してその位置を保持しうる程度に回動するよう設定された部分の軸方向の長さが、２〜１０ｍｍであるコンパクト容器を第３の要旨とする。
【発明の効果】
【００１２】
すなわち、本発明のコンパクト容器は、合成樹脂製のヒンジ軸として、ヒンジ連結のための太径部と、抜け止めのための細径部とが同軸的に形成されたものを用いるため、太径部の軸方向の長さを、比較的短く設定しても、ヒンジ軸が抜けにくいものとなる。そして、太径部のうち、フリーストップ機能をもたせる部分の長さを短く設定することができるため、この部分の寸法精度がばらつかず、こじれやねじれの発生を小さく抑えることができる。したがって、従来の合成樹脂製のヒンジ軸を用いたもの（図５参照）のように、補強のために、ヒンジ軸の周囲に補助的な嵌合部を設ける必要がなく、構造が簡単で、製造コストが安いという利点を有する。また、蓋体の突設部に余分な切欠きを設ける必要もなく、見栄えがよい。そして、このものは、容器本体と蓋体とヒンジ軸の３者が全て合成樹脂で形成されているため、ごみの分別回収時に、この部分を分解することなく、そのまま廃棄することができる（鏡は外す）。
【００１３】
そして、上記効果は、容器本体後端部側の突設部と、蓋体側の突設部とが、どのような形で組み合わせられているか（どちらの突設部が左右両側に設けられ、どちらの突設部が中央に設けられているか）に関係なく、得ることができるものである。
【発明を実施するための最良の形態】
【００１４】
つぎに、本発明を実施するための最良の形態について説明する。
【００１５】
図１は、本発明の最良の実施形態であるコンパクト容器におけるヒンジ連結部の水平断面図である。すわなち、このコンパクト容器は、図３に示すコンパクト容器と同様、上面に化粧皿収容凹部１ａが形成された合成樹脂製の容器本体１と、この容器本体１の上面を蓋する合成樹脂製の蓋体２とを備え、両者をヒンジ連結するために、上記容器本体１の後端部（図では下側）の左右両側には、一対の突設部Ａ，Ａ′が突設されており、上記蓋体２の後端部中央には、上記突設部Ａ，Ａ′の間に入り込む突設部Ｂが突設されている。
【００１６】
そして、上記容器本体１の突設部Ａ，Ａ′の左右端面から、蓋体２の突設部Ｂにまたがって、左右一対の第１のヒンジ軸挿通穴３０，３１が形成されており、これらの穴３０，３１から、さらに内側に向かって同軸的に、細径の第２のヒンジ軸挿通穴３２，３３がそれぞれ形成されている。
【００１７】
そして、太径部３４，３５と細径部３６，３７とが同軸的に形成された一対の樹脂製ヒンジ軸３８，３９が、その太径部３４，３５を第１のヒンジ軸挿通穴３０，３１に挿通し、その細径部３６，３７を第２のヒンジ軸挿通穴３２，３３に挿通した状態で、突設部Ａ，Ａ′と突設部Ｂとを、左右両側からヒンジ連結している。
【００１８】
なお、上記ヒンジ軸３８，３９の太径部３４，３５のうち、突設部Ａ，Ａ′と嵌合する部分Ｘの嵌め合わせが、任意の位置で停止してその位置を保持しうる程度、いわゆるフリーストップ機能が発揮される程度に回動するよう設定されている。この例では、この部分の穴径を、１．１〜３．１ｍｍに設定し、この部分の軸径を、１．０〜３．０ｍｍに設定することにより、両者の間の摩擦抵抗を調整している。
【００１９】
また、上記ヒンジ軸３８，３９の太径部３４，３５のうち、突設部Ｂと嵌合する部分Ｙの嵌め合わせが、互いに回動しないよう設定されている。この例では、この部分の穴径を、１．０〜３．０ｍｍに設定し、この部分の軸径を、１．０〜３．０ｍｍに設定することにより無理嵌めして、両者が回動せず固定されるように調整している。
【００２０】
さらに、上記ヒンジ軸３８，３９の細径部３６，３７が、第２のヒンジ軸挿通穴３２，３３と嵌合する部分は、抜け止めとしての機能を果たす部分であり、上記細径部３６，３７の軸径を０．５〜２．５ｍｍに設定することにより、互いにゆるい嵌め合わせになっている。
【００２１】
上記構成によれば、合成樹脂製のヒンジ軸３８，３９が、ヒンジ連結のための太径部３４，３５と、抜け止めのための細径部３６，３７とを備えているため、太径部３４，３５の軸方向の長さが短くても、ヒンジ軸３８，３９が抜けにくくなっている。そして、太径部３４，３５のうち、フリーストップ機能をもたせる部分（嵌合部分Ｘ）の長さを短く設定することができるため、この部分の寸法精度がばらつかず、こじれやねじれの発生を小さく抑えることができる。したがって、従来品のように、ヒンジ軸３８，３９の周囲に、補強用の嵌合部を設ける必要がなく、構造が簡単で、製造コストが安いという利点を有する。また、蓋体２の突設部Ｂに余分な切欠きを設ける必要もなく、見栄えがよい。そして、このものは、容器本体１と蓋体２とヒンジ軸３８，３９の３者が全て合成樹脂で形成されているため、ごみの分別回収時に、この部分を分解することなく、そのまま廃棄することができる（鏡は外す）。
【００２２】
なお、上記の例では、ヒンジ軸３８，３９の太径部３４，３５が容器本体１側の突設部Ａ，Ａ′と嵌合する部分Ｘにおいてフリーストップ機能をもたせ、蓋体２側の突設部Ｂと嵌合する部分Ｙにおいてヒンジ軸３８，３９が回動しないよう固定したが、これを逆にして、嵌合部分Ｘにおいて回動を固定し、嵌合部分Ｙにおいてフリーストップ機能をもたせるようにしてもよい。
【００２３】
そして、嵌合部分ＸもしくはＹの、フリーストップ機能をもたせる部分の軸方向の長さは、ヒンジ軸３８，３９の太さにもよるが、通常、２〜１０ｍｍに設定することが好適である。すなわち、上記範囲より短かすぎると、両者の接触面積が小さくなり、フリーストップ機能が得られにくくなる。また、逆に、長すぎると、真円度や軸径の寸法精度にばらつきが生じて、フリーストップ機能が得られにくくなるだけでなく、回動時に、よじれ、こじれ等の無理な荷重がヒンジ軸３８，３９にかかり、損傷や破損を招くおそれがあるからである。
【００２４】
また、ヒンジ軸３８，３９の細径部３６，３７が第２のヒンジ軸挿通穴３２，３３と嵌合する部分Ｚは、抜け止め機能を果たすものであり、上記細径部３６，３７の長さは、コンパクト容器の全体寸法、ヒンジ軸３８，３９の太さ等にもよるが、通常、２〜１０ｍｍに設定することが、抜け止め機能をもたせる上で好適である。
【００２５】
図２は、本発明の他の実施の形態を示している。このものは、容器本体１と蓋体２とをヒンジ連結するために、上記蓋体２の後端部の左右両側に、一対の突設部Ｂ′，Ｂ″が突設されており、上記容器本体１の後端部中央は、上記突設部Ｂ′，Ｂ″の間に入り込む突設部Ａ″が突設されている。
【００２６】
そして、上記蓋体２の突設部Ｂ′，Ｂ″の左右端面から、蓋体１の突設部Ａ″にまたがって、左右一対の第１のヒンジ軸挿通穴３０′，３１′が形成されており、これらの穴３０′，３１′から、さらに内側に向かって同軸的に、細径の第２のヒンジ軸挿通穴３２′，３３′がそれぞれ形成されている。
【００２７】
そして、上記実施例と同様の一対の樹脂製ヒンジ軸３８，３９が、その太径部３４，３５を第１のヒンジ軸挿通穴３０′，３１′に挿通し、その細径部３６，３７を第２のヒンジ軸挿通穴３２′，３３′に挿通した状態で、突設部Ｂ′，Ｂ″と突設部Ａ″とを、左右両側からヒンジ連結している。
【００２８】
そして、この例では、ヒンジ軸３８，３９の太径部３４，３５のうち、突設部Ｂ′，Ｂ″と嵌合する部分Ｘ′に、フリーストップ機能が付与されており、突設部Ａ″と嵌合する部分Ｙ′が、互いに回動しないよう固定されている。これらの部分における穴径、軸径の好適範囲は、上記の例と同一である。
【００２９】
さらに、上記ヒンジ軸３８，３９の細径部３６，３７が、第２のヒンジ軸挿通穴３２′，３３′と嵌合する部分Ｚ′が、抜け止めとしての機能を果たすようになっている。
【００３０】
このものも、上記実施例と同一の効果を奏する。
【図面の簡単な説明】
【００３１】
【図１】本発明の一実施例の部分的な水平断面図である。
【図２】本発明の他の実施例の部分的な水平断面図である。
【図３】一般的なコンパクト容器の一例を示す斜視図である。
【図４】上記一例の部分的な垂直断面図である。
【図５】合成樹脂製ヒンジ軸を用いたコンパクト容器の従来例を示す部分的な水平断面図である。
【図６】（ａ）、（ｂ）は、ともに他の従来例に用いられる合成樹脂製ヒンジ軸の縦断面図である。
【符号の説明】
【００３２】
１  容器本体
２  蓋体
３０，３１  第１のヒンジ軸挿通穴
３２，３３  第２のヒンジ軸挿通穴
３４，３５  太径部
３６，３７  細径部
３８，３９  ヒンジ軸
【図１】
2005124634.tif 000003
【図２】
2005124634.tif 000004
【図３】
2005124634.tif 000005
【図４】
2005124634.tif 000006
【図５】
2005124634.tif 000007
【図６】
2005124634.tif 000008